(57)【要約】【課題】ロール状媒体を引出す際にロール状媒体の左右のバックテンションを均一にすることができるロール状媒体支持装置及びこのロール状媒体支持装置を備えた記録装置を提供すること。【解決手段】媒体支持部１１１を媒体引出し方向に回転自在とする回転機構５０を前記媒体支持部の中央に備える。これにより、ロール状媒体を引出す際にロール状媒体の左右のバックテンションが不均一になると、ロール状媒体を支持する媒体支持部のバックテンションの強い側が媒体引出し方向に回転するので、ロール状媒体の左右のバックテンションを均一にすることができる。【選択図】図４
2007238270.tif 000002
【特許請求の範囲】
【請求項１】
ロール状の媒体を支持する媒体支持部を備えたロール状媒体支持装置であって、
前記媒体支持部を媒体引出し方向に回転自在とする回転機構を前記媒体支持部の中央に備えたことを特徴とするロール状媒体支持装置。
【請求項２】
前記媒体支持部に前記ロール状媒体をセットするときに当該媒体支持部の回転を規制する回転規制手段を備えたことを特徴とする請求項１に記載のロール状媒体支持装置。
【請求項３】
前記回転機構は、回転中心が媒体幅方向に移動可能であることを特徴とする請求項１又は２に記載のロール状媒体支持装置。
【請求項４】
ロール状の被記録媒体を搬送しつつ記録する記録装置であって、
請求項１〜３の何れか一項に記載のロール状媒体支持装置を備えたことを特徴とする記録装置。
【発明の詳細な説明】
【技術分野】
【０００１】
本発明は、ロール状の媒体を支持する媒体支持部を備えたロール状媒体支持装置及びこのロール状媒体支持装置を備えた記録装置に関する。
【背景技術】
【０００２】
記録装置の１つであるインクジェット式プリンタには、被記録媒体である用紙としてカット紙のみならずロール紙にも記録可能なタイプがある。ロール紙は、プリンタ本体の背面上部に装着されているロール紙ホルダにより軸支持されており、プリンタ本体に内蔵されている紙送りローラにより引出されて搬送・記録されるようになっている（特許文献１参照）。
【０００３】
【特許文献１】特許第３０９２６６７号公報
【発明の開示】
【発明が解決しようとする課題】
【０００４】
上述したインクジェット式プリンタは、ロール紙ホルダに軸支持されているロール紙を紙送りローラにより引出して搬送・記録するため、搬送精度や記録精度を向上させるにはロール紙ホルダの回転中心軸と紙送りローラの回転中心軸とが常に平行に維持されていることが望ましい。しかし、部品精度や組立精度等のばらつきから、ロール紙ホルダの回転中心軸と紙送りローラの回転中心軸とを常に平行に維持することに限界がある。このため、ロール紙の外周の回転振れが発生し易く、ロール紙の左右のバックテンションが均一にならずに搬送精度や記録精度に悪影響を及ぼすおそれがある。
【０００５】
本発明は、上記のような種々の課題に鑑みなされたものであり、その目的は、ロール状媒体を引出す際にロール状媒体の左右のバックテンションを均一にすることができるロール状媒体支持装置及びこのロール状媒体支持装置を備えた記録装置を提供することにある。
【課題を解決するための手段】
【０００６】
上記目的達成のため、本発明のロール状媒体支持装置では、ロール状の媒体を支持する媒体支持部を備えたロール状媒体支持装置であって、前記媒体支持部を媒体引出し方向に回転自在とする回転機構を前記媒体支持部の中央に備えたことを特徴としている。これにより、ロール状媒体を引出す際にロール状媒体の左右のバックテンションが不均一になると、ロール状媒体を支持する媒体支持部のバックテンションの強い側が媒体引出し方向に回転するので、ロール状媒体の左右のバックテンションを均一にすることができる。
【０００７】
また、前記媒体支持部に前記ロール状媒体をセットするときに当該媒体支持部の回転を規制する回転規制手段を備えたことを特徴としている。これにより、媒体支持部を固定することができるので、ロール状媒体を媒体支持部に容易にセットすることができる。また、前記回転機構は、回転中心が媒体幅方向に移動可能であることを特徴としている。これにより、異なる幅のロール状媒体に対しても左右のバックテンションを均一にすることができる。
【０００８】
上記目的達成のため、本発明の記録装置では、ロール状の被記録媒体を搬送しつつ記録する記録装置であって、上記各ロール状媒体支持装置を備えたことを特徴としている。これにより、上記各作用効果を奏する記録装置を提供することができる。
【発明を実施するための最良の形態】
【０００９】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１０】
図１は、本発明の実施の形態に係る記録装置の１つであるインクジェット式プリンタの構成例を示す斜視図であり、図２は、そのインクジェット式プリンタの主要部の内部構成例を示す斜視図、図３は、その内部構成のさらに主要部の詳細を示す側面図である。図１及び図２に示すインクジェット式プリンタ１００は、例えばＪＩＳ規格のＡ１判やＪＩＳ規格のＢ１判といった比較的大型のサイズのロール紙やカット紙等の記録用紙（被記録媒体）にまで記録できる大型のプリンタであり、本発明の特徴的な部分を含む給紙部（ロール状媒体支持装置）１１０と、記録・搬送部１２０、排紙部１３０、脚部１４０がこの順で上部から配設された構成となっている。
【００１１】
即ち、最上部に配置された給紙部１１０から給紙されるロール紙は、下部にて傾斜して配置された記録・搬送部１２０及び排紙部１３０の間を斜め下方に向かって搬送されて、最下部に配置された脚部１４０の間に配置される図示しない排紙受けに排紙されるようになっている。記録・搬送部１２０と排紙部１３０は本体として一体化されており、給紙部１１０及び脚部１４０とそれぞれ分離可能に構成されている。
【００１２】
給紙部１１０は、図１に示すように、本体１２０、１３０の上部後方に突き出るように設けられている。そして、給紙部１１０の内部には、図２に示すように、１本のロール紙がセット可能なロール紙ホルダ（媒体支持部）１１１が設けられ、給紙部１１０の前面には、図１及び図２に示すように、跳ね上げ式の開閉可能なロール紙カバー１１２がロール紙ホルダ１１１を覆うように取り付けられている。このロール紙カバー１１２により、ロール紙ホルダ１１１に保持されているロール紙の汚染を防止することができると共に、ユーザの安全を確保することができる。更に、給紙部１１０の内部には、図２に示すように、ロール紙ホルダ１１１をロール紙の引出し方向に回転自在とする本発明の特徴的な部分である回転機構５０が設けられている。尚、この回転機構５０の詳細については後述する。
【００１３】
ロール紙ホルダ１１１は、図２に示すように、ロール紙を保持するスピンドル１１３及び一対のフランジ状のロール紙押さえ１１４と、スピンドル１１３の着脱及び懸架が可能なスピンドル受け１１５を備えている。スピンドル１１３は、中央にロール紙が填め込まれてロール紙押さえ１１４で挟持された状態で、両端がスピンドル受け１１５に載置され、回転可能に軸支持されるようになっている。ロール紙カバー１１２は、図１及び図２に示すように、全体が回動可能に支持されており、ユーザが下部を持って持ち上げ、あるいは押し下げることにより開閉するようになっている。ユーザは、ロール紙カバー１１２の開閉を容易に行うことができ、ロール紙の交換作業時間等を短縮させることができる。
【００１４】
記録・搬送部１２０は、図２に示すように、記録ヘッド１２１を搭載したキャリッジ１２２、記録ヘッド１２１と記録を実行するための図示しない制御部とを電気的に接続するフレキシブルフラットケーブル（以下、ＦＦＣという）１２３、記録ヘッド１２１とインクが入ったインクカートリッジ１０とをつなぐインクチューブ１２４等を備えている。そして、記録部１２０の上面及び前面には、図１及び図２に示すように、上蓋１２５及び前蓋１２６が記録ヘッド１２１やキャリッジ１２２等を覆うように取り付けられている。
【００１５】
記録ヘッド１２１は、ブラックインクを吐出するブラックインク用記録ヘッドと、ライトイエロー、イエロー、ライトシアン、シアン、ライトマゼンタ、マゼンタ等の各色のインクを吐出する複数のカラーインク用記録ヘッドとを備えている。そして、記録ヘッド１２１は、圧力発生室とそれに繋がるノズル開口が設けられており、圧力発生室内にインクを貯留して所定圧で加圧することにより、ノズル開口からロール紙に向けてコントロールされた大きさのインク滴を吐出するようになっている。
【００１６】
キャリッジ１２２は、図２に示すように、主走査方向に設けられているレール１２７にコロを介して吊り下げられ、キャリッジベルト１２８に連結されており、図示しないキャリッジ駆動装置によってキャリッジベルト１２８が作動すると、キャリッジベルト１２８の動きに連行され、レール１２７に案内されて往復移動するようになっている。ＦＦＣ１２３は、図２に示すように、一端が制御部のコネクタに接続され、他端が記録ヘッド１２１のコネクタに接続されており、記録信号を制御部から記録ヘッド１２１に送るようになっている。
【００１７】
インクチューブ１２４は、上記各色のインク用が配設されており、図示しないインク加圧供給手段を介して各一端が対応する各色のインクカートリッジ１０につながれ、各他端が対応する各色の記録ヘッド１２１につながれている。そして、インクチューブ１２４は、インク加圧供給手段によって加圧された各色のインクをインクカートリッジ１０から記録ヘッド１２１に送るようになっている。前蓋１２６は、図１及び図２に示すように、下部が回動可能に支持されており、ユーザが上部を持って押し下げ、あるいは押し上げることにより開閉するようになっている。ユーザは、前蓋１２６を開けることにより記録部１２０を大きく開放することができるので、記録ヘッド１２１やキャリッジ１２２等のメンテナンス作業を容易に行うことができる。
【００１８】
さらに、記録・搬送部１２０は、図３に示すように、給紙部１１０から延びる平坦な給紙ガイド２１１、対向配置された接触・離間可能な紙送りローラ２１２及び従動ローラ２１３、キャリッジ１２２に搭載された記録ヘッド１２１と対向配置された平坦なプラテン２１４及びこのプラテン２１４直下の搬送下流側に配置されたペーパーガイド２１５、プラテン２１４及びペーパーガイド２１５上のロール紙を吸着する用紙吸引部２１６を備えている。尚、キャリッジ１２２には、記録完了したロール紙を切断するカッタ１２９が取り付けられている。
【００１９】
紙送りローラ２１２は、図３に示すように、１本の長尺のローラとして形成されており、記録可能な最大用紙幅より若干大きい周面部分にはセラミック粉等がコーティングされている。これにより、紙送りの際の滑りを防止することができるので、ロール紙を高精度に送り出すことができる。この紙送りローラ２１２は、図示していないが、両端がサイドフレームに軸受を介して軸支持されており、紙送りモータからプーリ及びベルトを介して伝達される駆動力により正逆回転駆動するようになっている。
【００２０】
従動ローラ２１３は、図３に示すように、複数個の短尺のローラとして形成されており、紙送りローラ２１２の上方で軸方向に複数並設された従動ローラ支持部材２１３ａに回動自在に軸支持されている。この従動ローラ２１３は、従動ローラ支持部材２１３ａに取り付けられているバネ等の付勢部材２１３ｂにより紙送りローラ２１２に押圧されており、紙送りローラ２１２の正逆回転駆動に追従して正逆回転するようになっている。これにより、ロール紙を両面からしっかりと押さえ込んで送り出すことができるので、高精度な記録を行うことができる。
【００２１】
プラテン２１４は、図３に示すように、記録可能な最大用紙幅より若干大きい長さの矩形平板状に形成されて紙送りローラ２１２の搬送下流側の直近に配設されている。ペーパーガイド２１５は、図３に示すように、記録可能な最大用紙幅より若干大きい長さの矩形平板状に形成されてプラテン２１４の搬送下流側の直近に配設されている。用紙吸引部２１６は、図３に示すように、プラテン２１４及びペーパーガイド２１５の下部に配設された圧力室２１６ａと、圧力室２１６ａの下部に配設された図示しないファンを備えている。圧力室２１６ａは、上面の一部が開放された箱状に形成されており、上面の開放部にプラテン２１４及びペーパーガイド２１５が取り付けられ、底面に装着された管継手２１６ｂを介してファンが取り付けられている。
【００２２】
用紙吸引部２１６のファンを回転させることにより、プラテン２１４及びペーパーガイド２１５に穿設されている図示しない吸引孔から圧力室２１６ａ内に吸気され、ファンを通って外部に排気される。従って、プラテン２１４及びペーパーガイド２１５の上面にロール紙が供給されると、ロール紙の下面側に負圧が発生するので、ロール紙をプラテン２１４及びペーパーガイド２１５の上面に吸着させてロール紙の浮き上がりを完全に防止して紙姿勢を安定化することができ、記録精度を高精度に確実に維持することができる。
【００２３】
カッタ１２９は、図３に示すように、刃先が下方を向くようにして、上下方向に昇降可能であって主走査方向に移動可能に配設されている。このカッタ１２９は、例えばソレノイド等により上下方向に昇降され、キャリッジ１２２とともに主走査方向に移動されるようになっている。従って、カッタ１２９を移動させるための手段を別途設ける必要は無いので、省スペースを図ることができるとともに、コストを抑えることができる。尚、カッタ１２９をキャリッジ１２２から分離して独自のベルト機構やモータ等により主走査方向に移動するように構成しても良い。
【００２４】
排紙部１３０は、図１及び図２に示すように、ロール紙を副走査方向に搬送する経路の一部を成す排紙ガイド１３１と、ロール紙を副走査方向に搬送する図示しない排紙ローラを備えている。排紙ガイド１３１は、図１及び図２に示すように、前面側に突き出た平坦な傾斜面として形成されており、上方から搬送されてくるロール紙を下方へスムーズに導くことができるようになっている。
【００２５】
脚部１４０は、図１及び図２に示すように、移動用のコロ１４１を有する２本の支持柱１４２と、これらの支持柱１４２の間に掛け渡されている補強棒１４３を備えている。そして、支持柱１４２の上部に給紙部１１０及び本体１２０、１３０が載置されネジ止め固定されるようになっている。支持柱１４２に移動用のコロ１４１が配設されていることにより、重量のある給紙部１１０及び本体１２０、１３０を所望の位置へスムーズに移動させて設置することができるようになっている。尚、この脚部１４０の支持柱１４２の間には、排紙部１３０から排出されるロール紙を受ける排紙受け装置を設置することができるようになっている。
【００２６】
さらに、本体１２０、１３０の前面側から見て左側には、図１及び図２に示すように、各色のインクカートリッジ１０を収納保持するホルダ本体１５１とその前面を覆うカバー１５２を有するインクカートリッジホルダ１５０が配設されている。このインクカートリッジホルダ１５０は、ホルダ本体１５１に対しカバー１５２の下部が回動可能に支持されており、ユーザが上部を持って押し下げ、あるいは押し上げることにより開閉するようになっている。ホルダ本体１５１内に設けられている収納部は、図示左側から順にブラック、ライトイエロー、イエロー、ライトシアン、シアン、ライトマゼンタ、マゼンタの計７色のインクカートリッジ１０が個々に引き出し、押し入れ可能なように仕切られている。また、本体１２０、１３０の前面側から見て右側上部には、図１及び図２に示すように、ユーザが記録制御等を操作するための操作パネル１６０が配設されている。この操作パネル１６０は、図示しない制御部と電気的に接続された液晶画面と各種ボタンが配設されており、ユーザが液晶画面を見て確認しながらボタン操作できるようになっている。
【００２７】
図４（Ａ）、（Ｂ）及び図５（Ａ）、（Ｂ）は、上記回転機構５０とその周辺部の詳細を示す正面図及び側面図である。この回転機構５０は、第１のアーム５１、第２のアーム５２、第１の軸受５３、第２の軸受５４、第３の軸受５５、回転軸５６及び２つのエアーシリンダ（回転規制手段）５７を備えている。第１のアーム５１は、本体１２０、１３０の上部であってロール紙ホルダ１１１のスピンドル受け１１５の中央前面側に隙間を開けて立設されており、スピンドル１１３の軸線ＳＬとスピンドル受け１１５の中央線ＣＬとの交点ＣＰに回転軸５６の軸線ＲＬがくるように第１の軸受５３が嵌め込まれている。
【００２８】
第２のアーム５２は、本体１２０、１３０の上部であってロール紙ホルダ１１１のスピンドル受け１１５の中央背面側に第２の軸受５４を介して立設されており、スピンドル１１３の軸線ＳＬとスピンドル受け１１５の中央線ＣＬとの交点ＣＰに回転軸５６の軸線ＲＬがくるように第３の軸受５５が嵌め込まれている。そして、回転軸５６は、軸線ＲＬがスピンドル１１３の軸線ＳＬとスピンドル受け１１５の中央線ＣＬとの交点ＣＰにくるようにスピンドル受け１１５に嵌め込まれ、両端が第１の軸受５３と第３の軸受５５とに軸支持されている。第１の軸受５３及び第３の軸受５５は、ラジアルころがり軸受が使用され、第２の軸受５４は、スラストころがり軸受が使用される。
【００２９】
このような構成によれば、スピンドル受け１１５は、回転軸５６を中心に図４（Ａ）に示す矢印ａ方向、即ちロール紙Ｒの引出し方向に回転自在となる。従って、紙送りローラ２１２と従動ローラ２１３に挟持されて引き出されているロール紙Ｒの左右のバックテンションが不均一になっても、スピンドル受け１１５におけるバックテンションの強い側がロール紙Ｒの引出し方向に回転するので、当該バックテンションの強さが弱まり、ロール紙Ｒの左右のバックテンションを均一にすることができる。また、バックテンションがロール紙Ｒの左右で同一となるので、キャリッジ１２２方向での画質を左右で均一にすることができる。
【００３０】
２つのエアーシリンダ５７は、ピストン５７ａがスピンドル受け１１５の両側板１１５ａの下端に接触・離間可能なように、シリンダ５７ａが本体１２０、１３０の前面上部両側に固定されている。上述したようにスピンドル受け１１５は、回転軸５６を中心に図４（Ａ）に示す矢印ａ方向、即ちロール紙Ｒの引出し方向に回転自在に構成されている。このため、スピンドル受け１１５にロール紙Ｒをセットするときにスピンドル受け１１５が回転してしまい、ロール紙Ｒのセットが困難となるおそれがある。そこで、図５に示すように、スピンドル受け１１５にロール紙Ｒをセットするときは、２つのエアーシリンダ５７のピストン５７ａをシリンダ５７ａから伸ばしてスピンドル受け１１５の両側板１１５ａの下端に接触支持させる。これにより、スピンドル受け１１５の回転が規制されるので、スピンドル受け１１５にロール紙Ｒを容易にセットすることができる。ここで、ロール紙ＲはＪＩＳ規格で種々のサイズが規定されている。従って、回転機構５０はこれらの種々のサイズのロール紙Ｒに対応する必要がある。
【００３１】
図６は、異なるサイズのロール紙Ｒのセット状態の一例を示す平面図である。この場合の回転機構５０は、スピンドル受け１１５の中央に固定されている。即ち、ロール紙Ｒの搬送は、常に中央基準となる。従って、図６（Ａ）に示すスピンドル受け１１５と同等の幅を有するロール紙Ｒ１は、中央がスピンドル受け１１５の中央線ＣＬ上にくるようにセッティングされる。また、図６（Ｂ）に示すロール紙Ｒ１よりも幅が短いロール紙Ｒ２も、中央がスピンドル受け１１５の中央線ＣＬ上にくるようにセッティングされる。これにより、異なる幅のロール紙Ｒ１、Ｒ２に対しても左右のバックテンションを均一にすることができる。
【００３２】
図７は、異なるサイズのロール紙Ｒのセット状態の別例を示す平面図である。この場合の回転機構５０は、スピンドル受け１１５の中央に固定可能であると共に、スピンドル受け１１５の背板１１５ｂにスピンドル１１３の軸線ＳＬ方向に設けられた中央からホームポジション側（右側）へ延びるスリット１１５ｃに沿って任意の位置に移動・固定可能に構成されている。即ち、ロール紙Ｒの搬送は、常にホームポジション基準となる。従って、図７（Ａ）に示すスピンドル受け１１５と同等の幅を有するロール紙Ｒ１は、図６（Ａ）と同様に中央がスピンドル受け１１５の中央線ＣＬ上にくるようにセッティングされる。一方、図７（Ｂ）に示すロール紙Ｒ１よりも幅が短いロール紙Ｒ２は、右端面がロール紙Ｒ１の右端面に合わせられ、中央に回転機構５０の回転軸５６の軸線ＲＬがくるようにセッティングされる。これにより、異なる幅のロール紙Ｒ１、Ｒ２に対しても左右のバックテンションを均一にすることができる。
【００３３】
図８は、異なるサイズのロール紙Ｒのセット状態の更に別例を示す平面図である。この場合の回転機構５０は、スピンドル受け１１５の右側板１１５ａａと左側板１１５ａｂと背板１１５ｂが分割されており、右側板１１５ａａは固定され、左側板１１５ａｂはスピンドル１１３の軸線ＳＬ方向に可動に構成されている。更に、図７と同様に、回転機構５０は、スピンドル受け１１５の中央に固定可能であると共に、スピンドル受け１１５の背板１１５ｂにスピンドル１１３の軸線ＳＬ方向に設けられた中央からホームポジション側（右側）へ延びるスリット１１５ｃに沿って移動・固定可能に構成されている。即ち、ロール紙Ｒの搬送は、常にホームポジション基準となる。
【００３４】
従って、図８（Ａ）に示すスピンドル受け１１５と同等の幅を有するロール紙Ｒ１は、図７（Ａ）と同様に中央がスピンドル受け１１５の中央線ＣＬ上にくるようにセッティングされる。一方、図８（Ｂ）に示すロール紙Ｒ１よりも幅が短いロール紙Ｒ２は、右端面がロール紙Ｒ１の右端面に合わせられ、左端面と左側板１１５ａｂの間隔が右端面と右側板１１５ａａの間隔と同一となる位置に左側板１１５ａｂがくるように、且つ中央に回転機構５０の回転軸５６の軸線ＲＬがくるようにセッティングされる。これにより、ロール紙Ｒ２の幅に合ったスピンドル１１３とすることができるので、異なる幅のロール紙Ｒ１、Ｒ２に対しても左右のバックテンションを更に均一にすることができる。
【産業上の利用可能性】
【００３５】
ロール状媒体支持装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００３６】
【図１】本発明の実施の形態に係る記録装置の１つであるインクジェット式プリンタの構成例を示す斜視図である。
【図２】図１のプリンタの主要部の内部構成例を示す斜視図である。
【図３】図１のプリンタの内部構成のさらに主要部の詳細を示す側面図である。
【図４】図１のプリンタの回転機構とその周辺部の詳細を示す第１の正面図及び側面図である。
【図５】図１のプリンタの回転機構とその周辺部の詳細を示す第２の正面図及び側面図である。
【図６】異なるサイズのロール紙Ｒのセット状態の一例を示す平面図である。
【図７】異なるサイズのロール紙Ｒのセット状態の別例を示す平面図である。
【図８】異なるサイズのロール紙Ｒのセット状態の更に別例を示す平面図である。
【符号の説明】
【００３７】
５０  回転機構、５１  第１のアーム、５２  第２のアーム、５３  第１の軸受、５４  第２の軸受、５５  第３の軸受、５６  回転軸、５７  エアーシリンダ、１００  インクジェット式プリンタ、１１０  給紙部、１１３  スピンドル、１１５  スピンドル受け、１２０  記録・搬送部、１２１  記録ヘッド、１２２  キャリッジ、１３０  排紙部、１４０  脚部、１５０  インクカートリッジホルダ
【図１】
2007238270.tif 000003
【図２】
2007238270.tif 000004
【図３】
2007238270.tif 000005
【図４】
2007238270.tif 000006
【図５】
2007238270.tif 000007
【図６】
2007238270.tif 000008
【図７】
2007238270.tif 000009
【図８】
2007238270.tif 000010